(57)【要約】【課題】簡易な構成によって動作状態を簡易に確認すること。【解決手段】光加入者端末ユニット２０は、入力された光信号を電気信号に変換し、信号線３０を介して出力する変換手段（光／電変換部２１）と、信号線を介して電源ユニットから供給される電源電力を受電し、光加入者端末ユニットに電源電力を供給する受電手段（電源部２５）と、光加入者端末ユニット、光信号、電気信号のうち少なくとも一つの状態を監視する監視手段（状態監視部２６）と、監視結果を電源ユニットに対して送信する送信手段（監視情報送信部２７）と、を有し、電源ユニットは、信号線を介して光加入者端末ユニットに電源電力を送電する送電手段（ＡＣ／ＤＣ変換部４３）と、送信された監視結果を示す情報を受信する受信手段（監視情報受信部４４）と、受信された監視結果を示す情報を提示する提示手段（監視情報提示部４５）と、を有する。【選択図】図１
2017034464.tif 000002
【特許請求の範囲】
【請求項１】
光加入者端末ユニットと、前記光加入者端末ユニットに電源電力を供給する電源ユニットとを有する光加入者端末装置において、
前記光加入者端末ユニットは、
入力された光信号を電気信号に変換し、信号線を介して出力する変換手段と、
前記信号線を介して前記電源ユニットから供給される電源電力を受電し、当該光加入者端末ユニットに前記電源電力を供給する受電手段と、
当該光加入者端末ユニット、前記光信号、前記電気信号のうち少なくとも一つの状態を監視する監視手段と、
前記監視手段による監視結果を前記電源ユニットに対して送信する送信手段と、を有し、
前記電源ユニットは、
前記信号線を介して前記光加入者端末ユニットに前記電源電力を送電する送電手段と、
前記送信手段によって送信された前記監視結果を示す情報を受信する受信手段と、
前記受信手段によって受信された前記監視結果を示す情報を提示する提示手段と、を有する、
ことを特徴とする光加入者端末装置。
【請求項２】
前記送信手段は、前記信号線を介して前記監視結果を示す情報を前記電源ユニットに対して送信し、
前記受信手段は、前記信号線を介して前記送信手段から送信された前記監視結果を示す情報を受信する、
ことを特徴とする請求項１に記載の光加入者端末装置。
【請求項３】
前記送信手段は、前記変換手段から出力される信号の周波数より低い周波数帯域を用いて前記監視結果を示す情報を前記電源ユニットに対して送信することを特徴とする請求項１または２に記載の光加入者端末装置。
【請求項４】
前記送信手段は、前記監視結果を示す情報を電波によって前記電源ユニットに対して送信し、
前記受信手段は、前記送信手段から前記電波によって送信された前記監視結果を示す情報を受信する、
ことを特徴とする請求項１に記載の光加入者端末装置。
【請求項５】
前記光加入者端末ユニットは屋外または天井裏に配置され、前記電源ユニットは屋内に配置されることを特徴とする請求項１乃至４のいずれか１項に記載の光加入者端末装置。
【請求項６】
前記監視手段は、当該光加入者端末ユニットの状態を定期的に監視し、前記送信手段は、前記監視手段による監視結果を示す情報を前記電源ユニットに対して送信することを特徴とする請求項１乃至５のいずれか１項に記載の光加入者端末装置。
【請求項７】
前記送信手段は、前記電源ユニットからの要求に応じて、前記監視結果を示す情報を前記電源ユニットに対して送信することを特徴とする請求項１乃至６のいずれか１項に記載の光加入者端末装置。
【請求項８】
前記送信手段は、前記監視手段による監視結果が変化した場合に、前記監視結果を示す情報を前記電源ユニットに対して送信することを特徴とする請求項１乃至６のいずれか１項に記載の光加入者端末装置。
【発明の詳細な説明】
【技術分野】
【０００１】
本発明は、光加入者端末装置に関するものである。
【背景技術】
【０００２】
特許文献１には、光信号が入力されているかどうかを表示する表示手段（例えば、光信号が適正レベルで入力されているときにＬＥＤを点灯させる。）を有する光加入者端末装置に関する技術が開示されている。
【０００３】
特許文献２には、光加入者端末装置を動作させる電源装置内に光加入者端末装置の運用状態を監視し、ネットワークを介してセンターに通知する技術が開示されている。
【先行技術文献】
【特許文献】
【０００４】
【特許文献１】特開２００５−０２５０９４号公報
【特許文献２】特開２００８−２２７８４２号公報
【発明の概要】
【発明が解決しようとする課題】
【０００５】
しかしながら、光加入者端末装置は、屋外の高所や天井裏等に配置される場合が多いことから、特許文献１に開示された技術では、表示手段に表示された情報を確認することが困難であるという問題点がある。
【０００６】
また、特許文献２に開示された技術では、ネットワークを介してセンター装置に情報を通知する構成を有するため、ネットワークに接続可能な環境と、ネットワークを介して通信するための回路が必要になる。このため、ネットワーク環境が整っていないと情報を送ることができないという問題点がある。また、通信するための回路を設ける必要があることから、装置の複雑化により製造コストが高くなるという問題点もある。さらに、ネットワークを介してセンター装置と通信を行う為、加入者本人が光加入者端末装置に異常が発生しているか判別が困難であり、例えば、加入者が異常に気付かず対応が遅れる、さらには異常状態を放置し、該異常を悪化させてしまうという問題点がある。
【０００７】
本発明は、以上の点に鑑みてなされたものであり、簡易な構成によって動作状態を簡易に確認することができる光加入者端末装置を提供することを目的としている。
【課題を解決するための手段】
【０００８】
上記課題を解決するために、本発明は、光加入者端末ユニットと、前記光加入者端末ユニットに電源電力を供給する電源ユニットとを有する光加入者端末装置において、前記光加入者端末ユニットは、入力された光信号を電気信号に変換し、信号線を介して出力する変換手段と、前記信号線を介して前記電源ユニットから供給される電源電力を受電し、当該光加入者端末ユニットに前記電源電力を供給する受電手段と、当該光加入者端末ユニット、前記光信号、前記電気信号のうち少なくとも一つの状態を監視する監視手段と、前記監視手段による監視結果を前記電源ユニットに対して送信する送信手段と、を有し、前記電源ユニットは、前記信号線を介して前記光加入者端末ユニットに前記電源電力を送電する送電手段と、前記送信手段によって送信された前記監視結果を示す情報を受信する受信手段と、前記受信手段によって受信された前記監視結果を示す情報を提示する提示手段と、を有する、ことを特徴とする。
このような構成によれば、簡易な構成によって動作状態を簡易に確認することができる光加入者端末装置を提供することができる。
【０００９】
また、本発明は、前記送信手段は、前記信号線を介して前記監視結果を示す情報を前記電源ユニットに対して送信し、前記受信手段は、前記信号線を介して前記送信手段から送信された前記監視結果を示す情報を受信する、ことを特徴とする。
このような構成によれば、信号線を流用して監視信号を伝送できるので、構成を簡易化することができる。
【００１０】
また、本発明は、前記送信手段は、前記変換手段から出力される信号の周波数より低い周波数帯域を用いて前記監視結果を示す情報を前記電源ユニットに対して送信することを特徴とする。
このような構成によれば、構成を複雑にすることなく、また、映像信号との混信を生じることなく監視結果を示す情報を伝送することができる。
【００１１】
また、本発明は、前記送信手段は、前記監視結果を示す情報を電波によって前記電源ユニットに対して送信し、前記受信手段は、前記送信手段から前記電波によって送信された前記監視結果を示す情報を受信する、ことを特徴とする。
このような構成によれば、信号線に断線等が生じた場合でも監視結果を示す情報を伝送することができる。
【００１２】
また、本発明は、前記光加入者端末ユニットは屋外または天井裏に配置され、前記電源ユニットは屋内に配置されることを特徴とする。
このような構成によれば、加入者がアクセスしにくい場所に光加入者端末ユニットが配置されている場合でも、身近に配置した電源ユニットを参照することで、光加入者端末ユニットの状態を知ることができる。
【００１３】
また、本発明は、前記監視手段は、当該光加入者端末ユニットの状態を定期的に監視し、前記送信手段は、前記監視手段による監視結果を示す情報を前記電源ユニットに対して送信することを特徴とする。
このような構成によれば、常時送信する場合に比較して、消費電力を抑えることができる。
【００１４】
また、本発明は、前記送信手段は、前記電源ユニットからの要求に応じて、前記監視結果を示す情報を前記電源ユニットに対して送信することを特徴とする。
このような構成によれば、例えば、加入者が電源ユニットを操作した場合に監視結果を示す情報を送信することで、消費電力をさらに抑えることができる。
【００１５】
また、本発明は、前記送信手段は、前記監視手段による監視結果が変化した場合に、前記監視結果を示す情報を前記電源ユニットに対して送信することを特徴とする。
このような構成によれば、例えば、異常の発生によって監視結果が変化した場合には、異常の発生を確実に知らせることができる。
【発明の効果】
【００１６】
本発明によれば、簡易な構成によって動作状態を簡易に確認することができる光加入者端末装置を提供することが可能となる。
【図面の簡単な説明】
【００１７】
【図１】本発明の実施形態に係る光加入者端末装置の構成例を示す図である。
【図２】図１に示す実施形態において信号線を伝送される信号の周波数軸上の配置の一例を示す図である。
【図３】図１の光加入者端末ユニットにおいて実行される処理の一例を示すフローチャートである。
【図４】図１の電源ユニットにおいて実行される処理の一例を示すフローチャートである。
【図５】本発明の変形実施形態の構成例を示す図である。
【発明を実施するための形態】
【００１８】
次に、本発明の実施形態について説明する。
【００１９】
（Ａ）本発明の実施形態の構成の説明
図１は、本発明の実施形態に係る光加入者端末装置の構成例を示す図である。図１に示すように、本発明の実施形態に係る光加入者端末装置は、光加入者端末ユニット２０および電源ユニット４０を主要な構成要素としている。光加入者端末ユニット２０は、光伝送路１０を介して図示しないセンター装置側と接続されるとともに、信号線３０によって電源ユニット４０と接続される。電源ユニット４０は、信号線３０によって光加入者端末ユニット２０と接続されるとともに、信号線５０によって図示しないテレビジョン受像機と接続される。
【００２０】
光伝送路１０は、光ファイバ等により構成され、図示しないセンター装置から供給される光信号を伝送し、光加入者端末ユニット２０に供給する。
【００２１】
光加入者端末ユニット２０は、光／電変換部２１、増幅部２２、キャパシタ２３、インダクタ２４、電源部２５、状態監視部２６、監視情報送信部２７を有している。
【００２２】
光／電変換部２１（特許請求の範囲中の「変換手段」に対応）は、光伝送路１０を介して図示しないセンター装置から送信される光信号を電気信号（映像信号）に変換し、増幅部２２に供給する。増幅部２２は、光／電変換部２１から供給される映像信号を増幅して出力する。キャパシタ２３は、信号線３０に対して映像信号と、後述する監視情報送信部２７（特許請求の範囲中の「送信手段」に対応）から送信される監視信号を後段に供給するとともに、電源部２５から供給される電源電力（例えば、直流信号）が増幅部２２に流入することを防止するハイパスフィルタとして機能する。インダクタ２４は、電源部２５から出力される電源電力を通過して信号線３０に供給するとともに、信号線３０を伝送される映像信号と監視信号が電源部２５に流入することを防止するローパスフィルタとして機能する。
【００２３】
電源部２５（特許請求の範囲中の「受電手段」に対応）は、信号線３０を介して電源ユニット４０から供給される電源電力を受電し、図中破線で示す電源線によって電源電力を装置の各部に供給する。
【００２４】
状態監視部２６（特許請求の範囲中の「監視手段」に対応）は、光加入者端末ユニット２０の各部の状態を監視し、監視結果を監視情報送信部２７に供給する。
【００２５】
監視情報送信部２７は、状態監視部２６による監視結果を示す情報に基づいて搬送波を変調し、監視信号としてキャパシタ２３および信号線３０を介して電源ユニット４０に送信する。
【００２６】
信号線３０は、例えば、同軸ケーブルによって構成され、映像信号と監視信号を光加入者端末ユニット２０から電源ユニット４０に供給するとともに、電源電力を電源ユニット４０から光加入者端末ユニット２０に対して供給する。
【００２７】
電源ユニット４０は、インダクタ４１、キャパシタ４２、ＡＣ／ＤＣ変換部４３、監視情報受信部４４、および、監視情報提示部４５を有している。インダクタ４１は、ＡＣ／ＤＣ変換部４３から出力される電源電力を通過して信号線３０に対して供給するとともに、信号線３０を伝送される映像信号および監視信号がＡＣ／ＤＣ変換部４３に流入することを防止するローパスフィルタとして機能する。キャパシタ４２は、光加入者端末ユニット２０から信号線３０を介して供給される映像信号を通過させて後段のテレビジョン受像機に供給し、ＡＣ／ＤＣ変換部４３から供給される電源電力がテレビジョン受像機および監視情報受信部４４に流入することを防止するハイパスフィルタとして機能する。
【００２８】
ＡＣ／ＤＣ変換部４３（特許請求の範囲中の「送電手段」に対応）は、商用電源から供給される交流電力を直流電力に変換し、信号線３０を介して光加入者端末ユニット２０に供給する。
【００２９】
監視情報受信部４４（特許請求の範囲中の「受信手段」に対応）は、光加入者端末ユニット２０から信号線３０を介して供給される監視信号を受信し、復調して監視情報提示部４５に供給する。
【００３０】
監視情報提示部４５（特許請求の範囲中の「提示手段」に対応）は、監視情報受信部４４から供給される監視情報を加入者に対して提示する。
【００３１】
信号線５０は、例えば、同軸ケーブルまたは平行ケーブルによって構成され、光加入者端末ユニット２０から出力される映像信号を、図示しないテレビジョン受像機に対して供給する。
【００３２】
（Ｂ）本発明の実施形態の動作の説明
つぎに、以上の実施形態の動作について説明する。光加入者端末ユニット２０は、例えば、屋外または天井裏に配置される。一方、電源ユニット４０は、例えば、屋内の商用電源のコンセントの近くに配置される。光加入者端末ユニット２０の設置が完了すると、光加入者端末ユニット２０に光伝送路１０と信号線３０とが接続される。電源ユニット４０は、商用電源に接続されるとともに、信号線５０を介してテレビジョン受像機に接続される。このようにして配置および接続が完了すると、電源ユニット４０の電源が投入される。
【００３３】
電源ユニット４０の電源が投入されると、ＡＣ／ＤＣ変換部４３が商用電源から供給される交流電力を直流電力に変換して出力する。ＡＣ／ＤＣ変換部４３から出力される直流電力は、インダクタ４１を介して信号線３０に供給される。ここで、インダクタ４１は、直流に対してはインピーダンスが略０であるので、電源電力は減衰することなく信号線３０に供給される。また、信号線５０の前段にはキャパシタ４２が配置されているので、直流電力は、キャパシタ４２によって遮断されることから、後段のテレビジョン受像機および監視情報受信部４４には供給されない。
【００３４】
信号線３０を伝送された直流電力は、インダクタ２４を介して電源部２５に供給される。なお、増幅部２２および監視情報送信部２７と、信号線３０との間にはキャパシタ２３が配置されていることから、増幅部２２および監視情報送信部２７に対して直流電力は流入しない。電源部２５は、電源ユニット４０から信号線３０を介して供給される直流電力の電圧を調整し、光／電変換部２１、増幅部２２、状態監視部２６、および、監視情報送信部２７に供給する。この結果、光加入者端末ユニット２０は動作可能な状態となる。
【００３５】
電源部２５から電力の供給が開始されると、光／電変換部２１は、光伝送路１０を介して図示しないセンター装置から供給される光信号を電気信号（映像信号）に変換し、増幅部２２に供給する。増幅部２２は、光／電変換部２１から供給される映像信号を増幅して出力する。増幅部２２から出力される映像信号は、キャパシタ２３を通過し、信号線３０を介して電源ユニット４０に伝送される。
【００３６】
電源ユニット４０は、光加入者端末ユニット２０から供給される映像信号を入力し、キャパシタ４２を介して信号線５０に出力する。信号線５０に出力された映像信号は、信号線５０を介してテレビジョン受像機に供給され、テレビジョン受像機によって映像信号が再生される。
【００３７】
光加入者端末ユニット２０の状態監視部２６は、光加入者端末ユニット２０の各部の状態を監視し、監視結果を示す情報を生成して出力する。より詳細には、状態監視部２６は、例えば、以下の項目について監視する。なお、以下の項目のうち１または複数の項目について、必要に応じて監視を省略してもよいし、これ以外の項目を監視するようにしてもよい。また、下記では光加入者端末ユニット２０の筐体の蓋の状態についても監視する項目としているが、該筐体の蓋が開いている状態で光加入者端末ユニット２０の運用を続けると雨や埃等の混入により光加入者端末ユニット２０に異常が発生する可能性がある為、監視する項目とすることが好ましい。
【００３８】
（１）光伝送路１０から光／電変換部２１に入力される光入力レベル
（２）光／電変換部２１から出力される映像信号レベル
（３）電源部２５から供給される電源電圧
（４）光加入者端末ユニット２０の筐体の蓋の状態（開いているまたは閉まっている）
（５）光加入者端末ユニット２０の筐体内の温度
【００３９】
状態監視部２６による監視結果を示す情報は、監視情報送信部２７に供給される。監視情報送信部２７は、監視結果を示す情報に基づいて所定の周波数の信号を変調し、監視信号を生成して出力する。監視情報送信部２７から出力された信号は、キャパシタ２３を介して信号線３０に供給される。
【００４０】
図２は、信号線３０を伝送される各信号の周波数帯域を示す図である。この図２に示すように、信号線３０を伝送される信号のうち、電源ユニット４０から出力される電源は直流であるので、周波数は０Ｈｚであり、一番低い周波数として伝送される。つぎに、増幅部２２から出力される映像信号は、最も周波数が高い信号であり、周波数帯域はｆ３〜ｆ４とされている。なお、ｆ３〜ｆ４は、例えば、数ＭＨｚ〜数ＧＨｚの帯域とされる。もちろん、これ以外の周波数帯域でもよい。最後に、監視信号は、ｆ１〜ｆ２の周波数帯域とされ、電源電力と映像信号の間に配置される。なお、監視信号は、情報量が少なく、また、通信速度もそれほど必要とされないことから、低い周波数帯域（例えば、数ｋＨｚ〜数百ｋＨｚ）程度に設定することができる。もちろん、これ以外の周波数帯域に設定してもよい。図２に示すように、各信号の周波数帯域を設定することで、それぞれの信号が互いに干渉することを防止しつつ１本の信号線３０によって効率良く伝送することができる。
【００４１】
信号線３０を伝送された監視信号は、キャパシタ４２を介して監視情報受信部４４に供給される。監視情報受信部４４は、キャパシタ４２を介して供給される監視信号を受信して復調し、前述した（１）〜（５）に関する監視情報を取り出し、監視情報提示部４５に供給する。
【００４２】
監視情報提示部４５は、監視情報受信部４４から供給される、（１）〜（５）に関する情報を取得し、例えば、表示部に対して（１）〜（５）に関する情報を視認可能な態様で表示する。あるいは、監視情報提示部４５は、（１）〜（５）に関する情報を音声情報として出力する。
【００４３】
この結果、加入者は、室内に配置されている電源ユニット４０の監視情報提示部４５によって提示される情報を参照することで、例えば、屋外の高所や天井裏等に配置されている光加入者端末ユニット２０の状態を知ることができる。このため、例えば、テレビジョン受像機の表示状態から、何らかの異常を認識した加入者が、センターに連絡する際に、身近に存在している電源ユニット４０の監視情報提示部４５によって提示される情報を参照することで、光加入者端末ユニット２０の状態を知ることができるので、センター側に適切な情報を提供し、正確な判断を仰ぐことができる。また、センターから加入者宅に派遣される施工者は、センターを介して、前述した（１）〜（５）に関する情報の提示を受けることで、伝送路（光伝送路１０）の異常が原因であるか、あるいは、光加入者端末装置の異常が原因であるのかを事前に知ることができるので、原因に応じた準備を予め行うことができるため、作業効率が改善するとともに、復旧までの時間を短縮することができる。
【００４４】
つぎに、図３を参照して、図１に示す実施形態において実行される処理の一例について説明する。図３に示すフローチャートの処理が開始されると、以下のステップが実行される。
【００４５】
ステップＳ１０では、状態監視部２６は、光／電変換部２１に入力される光信号の光入力レベルを検出する。例えば、状態監視部２６は、光／電変換部２１から出力される電気信号のレベルを検出するか、あるいは、光／電変換部２１に入力される光信号の一部を分波してフォトダイオードによって電気信号に変換し、その信号レベルを検出することで、光入力レベルを検出する。
【００４６】
ステップＳ１１では、状態監視部２６は、ステップＳ１０で検出した光入力レベルを所定の閾値と比較し、光入力レベルが正常か否かを判定し、正常であると判定した場合（ステップＳ１１：Ｙｅｓ）にはステップＳ１２に進み、それ以外の場合（ステップＳ１１：Ｎｏ）にはステップＳ１３に進む。
【００４７】
ステップＳ１２では、状態監視部２６は、監視情報の対応するビットを、正常を示す“０”に設定する。例えば、状態監視部２６は、監視情報の最下位ビットを“０”に設定する。
【００４８】
ステップＳ１３では、状態監視部２６は、監視情報の対応するビットを、異常を示す“１”に設定する。例えば、状態監視部２６は、監視情報の最下位ビットを“１”に設定する。
【００４９】
ステップＳ１４では、状態監視部２６は、映像信号の出力レベルを検出する。例えば、状態監視部２６は、増幅部２２から出力される映像信号のレベルを検出することで、映像信号出力レベルを検出する。
【００５０】
ステップＳ１５では、状態監視部２６は、ステップＳ１４で検出した映像信号出力レベルを所定の閾値と比較し、映像信号出力レベルが正常か否かを判定し、正常であると判定した場合（ステップＳ１５：Ｙｅｓ）にはステップＳ１６に進み、それ以外の場合（ステップＳ１５：Ｎｏ）にはステップＳ１７に進む。
【００５１】
ステップＳ１６では、状態監視部２６は、監視情報の対応するビットを、正常を示す“０”に設定する。例えば、状態監視部２６は、監視情報の最下位から２ビット目を“０”に設定する。
【００５２】
ステップＳ１７では、状態監視部２６は、監視情報の対応するビットを、異常を示す“１”に設定する。例えば、状態監視部２６は、監視情報の最下位から２ビット目を“１”に設定する。
【００５３】
ステップＳ１８では、状態監視部２６は、電源電圧を検出する。例えば、状態監視部２６は、電源部２５から各部に供給される電源電圧を検出する。
【００５４】
ステップＳ１９では、状態監視部２６は、ステップＳ１８で検出した電源電圧を所定の閾値と比較し、電源電圧が正常か否かを判定し、正常であると判定した場合（ステップＳ１９：Ｙｅｓ）にはステップＳ２０に進み、それ以外の場合（ステップＳ１９：Ｎｏ）にはステップＳ２１に進む。
【００５５】
ステップＳ２０では、状態監視部２６は、監視情報の対応するビットを、正常を示す“０”に設定する。例えば、状態監視部２６は、監視情報の最下位から３ビット目を“０”に設定する。
【００５６】
ステップＳ２１では、状態監視部２６は、監視情報の対応するビットを、異常を示す“１”に設定する。例えば、状態監視部２６は、監視情報の最下位から３ビット目を“１”に設定する。
【００５７】
ステップＳ２２では、状態監視部２６は、図示しない筐体の蓋の開閉状態を検出する。例えば、状態監視部２６は、筐体の蓋が開閉状態に応じてオンまたはオフの状態となるスイッチの状態を検出することで蓋の開閉状態を検出する。
【００５８】
ステップＳ２３では、状態監視部２６は、ステップＳ２２で検出した蓋の開閉状態を参照して蓋が閉まっているか否かを判定し、蓋が閉まっていると判定した場合（ステップＳ２３：Ｙｅｓ）にはステップＳ２４に進み、それ以外の場合（ステップＳ２３：Ｎｏ）にはステップＳ２５に進む。
【００５９】
ステップＳ２４では、状態監視部２６は、監視情報の対応するビットを、蓋が閉まっていることを示す“０”に設定する。例えば、状態監視部２６は、監視情報の最下位から４ビット目を“０”に設定する。
【００６０】
ステップＳ２５では、状態監視部２６は、監視情報の対応するビットを、蓋が開いていることを示す“１”に設定する。例えば、状態監視部２６は、監視情報の最下位から４ビット目を“１”に設定する。
【００６１】
ステップＳ２６では、状態監視部２６は、図示しない筐体の内部温度を検出する。例えば、状態監視部２６は、筐体内に配置されているサーミスタから出力される信号に基づいて、筐体内の温度を検出する。
【００６２】
ステップＳ２７では、状態監視部２６は、ステップＳ２６で検出した内部温度を所定の閾値と比較することで、内部温度が正常化否かを判定し、温度が正常な範囲と判定した場合（ステップＳ２７：Ｙｅｓ）にはステップＳ２８に進み、それ以外の場合（ステップＳ２７：Ｎｏ）にはステップＳ２９に進む。
【００６３】
ステップＳ２８では、状態監視部２６は、監視情報の対応するビットを、正常を示す“０”に設定する。例えば、状態監視部２６は、監視情報の最下位から５ビット目を“０”に設定する。
【００６４】
ステップＳ２９では、状態監視部２６は、監視情報の対応するビットを、異常を示す“１”に設定する。例えば、状態監視部２６は、監視情報の最下位から５ビット目を“１”に設定する。
【００６５】
ステップＳ２９では、監視情報送信部２７が監視情報を電源ユニット４０に対して送信する。より詳細には、状態監視部２６によって生成された５ビットの情報は、監視情報送信部２７に供給される。監視情報送信部２７は、状態監視部２６から供給された５ビットの情報に基づいて、図２に示す周波数帯がｆ１〜ｆ２に収まる所定の信号を変調し、監視信号を生成して出力する。このようにして生成された監視信号は、信号線３０を介して電源ユニット４０に供給される。
【００６６】
つぎに、図４を参照して、このような監視信号を受信した電源ユニット４０において実行される処理について説明する。図４に示すフローチャートの処理が開始されると、以下のステップが実行される。
【００６７】
ステップＳ４０では、監視情報受信部４４は、監視情報を受信する。より詳細には、監視情報受信部４４は、信号線３０を介して伝送される監視信号を受信して復調する。その結果、監視情報受信部４４は、監視信号に含まれている前述した５ビットの監視情報を得る。
【００６８】
ステップＳ４１では、監視情報受信部４４は、監視情報を参照し、全監視対象が正常であるか否かを判定し、全監視対象が正常であると判定した場合（ステップＳ４１：Ｙｅｓ）にはステップＳ４３に進み、それ以外の場合（ステップＳ４１：Ｎｏ）にはステップＳ４２に進む。より詳細には、監視情報受信部４４は、監視情報を構成する全ビットが“０”である場合には正常であると判定してステップＳ４３に進み、少なくとも１ビットが“１”である場合には異常と判定してステップＳ４２に進む。
【００６９】
ステップＳ４２では、監視情報提示部４５は、警告音を発生し、加入者に異常の発生を通知する。なお、警告音の発生は省略してもよいし、全監視対象のうち所定の監視対象、または複数の監視対象が異常であると判定された場合に発生するようにしてもよい。
【００７０】
ステップＳ４３では、監視情報提示部４５は、監視情報を表示する。例えば、監視情報提示部４５は、監視情報を構成する５ビットのそれぞれに対応するＬＥＤ（Light Emitting Diode）を点灯または消灯することで、異常の発生状況を加入者に通知する。なお、全ての監視対象の状態が分かる方式であれば、これ以外の方式で表示するようにしてもよい。
【００７１】
ステップＳ４４では、監視情報受信部４４は、内部温度が異常であるか否かを判定し、異常であると判定した場合（ステップＳ４４：Ｙｅｓ）にはステップＳ４６に進み、それ以外の場合（ステップＳ４４：Ｎｏ）にはステップＳ４５に進む。例えば、監視情報の最下位から５ビット目が“１”である場合、監視情報受信部４４は、内部温度が異常であると判定してステップＳ４６に進む。
【００７２】
ステップＳ４５では、監視情報受信部４４は、電源電圧が異常であるか否かを判定し、異常であると判定した場合（ステップＳ４５：Ｙｅｓ）にはステップＳ４６に進み、それ以外の場合（ステップＳ４５：Ｎｏ）には処理を終了する。例えば、監視情報の最下位から３ビット目が“１”である場合、監視情報受信部４４は、電源電圧が異常であると判定してステップＳ４６に進む。
【００７３】
ステップＳ４６では、監視情報受信部４４は、ＡＣ／ＤＣ変換部４３を制御し、電源電圧の供給を一時的に停止させる。この結果、ＡＣ／ＤＣ変換部４３からの電源電圧の供給が停止するので、電源電圧が異常である場合にはＡＣ／ＤＣ変換部４３の動作停止によって、異常な電圧の供給が停止される。また、筐体内の温度が異常である場合には、ＡＣ／ＤＣ変換部４３の動作停止によって、光加入者端末ユニット２０の各部の動作が停止するので、各部の発熱が停止することで、温度を低下させることができる。また、光加入者端末ユニット２０の動作を停止することで、熱暴走等によって、各部がダメージを受けることを防止できる。
【００７４】
以上に説明したように、図３および図４に示すフローチャートの処理によれば、光加入者端末ユニット２０が前述した（１）〜（５）に示す状態を検出して、電源ユニット４０に伝えることができる。また、電源ユニット４０では、（１）〜（５）に示す状態を加入者に対して通知するとともに、異常が発生した場合には、音等によって加入者に通知することができる。また、温度異常または電源電圧異常が発生した場合には、ＡＣ／ＤＣ変換部４３の動作を停止することで、温度を低下させるとともに、熱暴走等によって光加入者端末ユニット２０の各部がダメージを受けることを防止できる。
【００７５】
（Ｃ）変形実施形態の説明
以上の実施形態は一例であって、本発明が上述したような場合のみに限定されるものでないことはいうまでもない。例えば、以上の実施形態では、監視情報送信部２７は、信号線３０を介して監視情報を送信するようにしたが、例えば、図５に示すように、電波によって送信するようにしてもよい。より詳細には、図５の例では、監視情報送信部２７は、状態監視部２６から供給される監視情報に応じて、所定の周波数の搬送波を変調し、電波としてアンテナ２８から送信する。電源ユニット４０では、監視情報受信部４４がアンテナ４６を介してアンテナ２８によって送信された電波を受信し、電気信号に変換して監視情報受信部４４に供給する。監視情報受信部４４は、アンテナ２８から供給された信号を復調し、監視情報を得る。このような構成によれば、例えば、信号線３０による光加入者端末ユニット２０と電源ユニット４０の電気的な接続が遮断した場合（例えば、信号線３０が断線した場合）であっても、光加入者端末ユニット２０の状態を知ることができる。
【００７６】
また、本実施形態において、監視情報受信部４４、監視情報提示部４５、アンテナ４６を着脱可能な構成としてもよい。特に、監視情報受信部４４、監視情報提示部４５、アンテナ４６（図５中点線で囲まれた箇所）を一体的に着脱可能な構成とする事で、光加入者端末ユニット２０および電源ユニット４０から離れた場所からでも監視情報を確認することができるため好ましい。この他、携帯電話等の端末に監視情報を送信し、端末上で該監視情報を閲覧できるようにしてもよい。
【００７７】
また、上述した実施形態では、光加入者端末ユニット２０から電源ユニット４０に対して監視情報を送信するタイミングについては、詳細には説明していないが、例えば、以下のようなタイミングで送信することができる。
【００７８】
（ａ）光加入者端末ユニット２０が常時送信する。
（ｂ）光加入者端末ユニット２０が定期的（例えば、１時間毎）に送信する。
（ｃ）監視情報の状態が変化した場合に送信する。
（ｄ）電源ユニット４０からリクエストがあった場合に送信する。
【００７９】
まず、（ａ）では、光加入者端末ユニット２０の監視情報送信部２７は、監視情報受信部４４に対して、常時、監視信号を送信することで実現できる。なお、監視情報送信部２７は、ビット情報としての監視情報に基づいて搬送波を変調して送信したり、監視情報のそれぞれのビットに対応したキャリア信号をオンまたはオフすることで送信したりすることができる。もちろん、図１の場合には変調した信号を、信号線３０を介して電気信号として伝送し、図５の場合には電波として伝送する。
【００８０】
つぎに、（ｂ）では、光加入者端末ユニット２０に時刻を計時するタイマを追加し、このタイマによって計時される時刻に基づいて、監視情報を送信することができる。例えば、１時間毎に送信する場合には、タイマによって計時される時刻を参照して前回の送信から１時間が経過した場合には、その時点における監視情報を送信することができる。このような方法によれば、常時送信する場合に比較して、監視情報送信部２７の動作回数を減らすことができるので、電力消費を抑えることができる。なお、送信する時間間隔は固定とするのではなく、例えば、異常が発生した場合には、間隔を短くするようにしてもよい。
【００８１】
つづいて、（ｃ）では、状態監視部２６から供給される監視情報の状態が変化した場合には、監視情報を送信することができる。例えば、全ての監視対象が正常な状態から、少なくとも１つの監視対象が異常な状態に変化した場合には、監視情報送信部２７が監視情報を送信するようにしてもよい。このような方法によれば、前述した（ｂ）よりも監視情報送信部２７の動作間隔をさらに長くすることができるので、消費電力を減らすことができる。なお、監視対象毎の重要度に応じて重み付けをし、重要度が高い監視対象の状態が変化した場合には監視情報送信部２７が直ちに送信し、重要度が低い監視対象の状態が変化した場合には監視情報送信部２７が一定時間の経過後に送信するようにしてもよい。例えば、筐体内の温度については、所定時間が経過すると正常温度に復帰することも想定されるので、温度異常が検出されてから、例えば、１０分後に送信するようにしてもよい。また、状態が頻繁に変化する場合には、状態の平均値を計算し、平均値に基づいて監視情報を生成するようにしてもよい。より詳細には、例えば、光入力レベル、映像信号レベル、および、電源電圧等が閾値の近傍である場合に、閾値を下回ったり、上回ったりする動作が頻発するときには、所定期間（例えば、１分間）の平均値を求めて、この平均値に基づいて監視情報を生成するようにしてもよい。さらに、前述した（ｂ）と（ｃ）の動作を組み合わせするようにしてもよい。例えば、状態変化がない場合には１時間毎に送信し、状態変化が発生した場合には即時に送信するようにしてもよい。
【００８２】
最後に、（ｄ）では、監視情報受信部４４が要求信号を送信できるようにするとともに、監視情報送信部２７が要求信号を受信した場合には、監視情報を送信するように構成する。そして、例えば、電源ユニット４０の図示しない操作部を加入者が操作した場合には、監視情報受信部４４が要求信号を監視情報送信部２７に対して送信し、このような要求信号を受信した監視情報受信部４４が監視情報を送信するようにすればよい。このような方法によれば、加入者の要求に応じて監視情報を送信するようにできるので、消費電力を抑えることができる。なお、前述した（ｂ）と（ｄ）の動作を組み合わせするようにしてもよい。例えば、状態変化がない場合には加入者からの要求があったときにのみ送信し、状態変化が発生した場合には即時に送信するようにしてもよい。
【００８３】
なお、図３および図４に示すフローチャートは一例であって、これ以外の処理を実行するようにしてもよい。
【００８４】
また、以上の実施形態において、監視情報を電気信号として出力する端子を有し、該端子と光出力や音声出力等が可能な装置とが接続される構成としてもよい。このような構成とする事で、使用環境下に合わせて適切な監視情報の提示を行う事ができる。
【００８５】
また、以上の実施形態において、光加入者端末ユニット２０に重大な異常が発生した場合には、監視情報提示部４５に依る監視情報の提示を停止する様にしてもよい。より詳細には、例えば、信号線３０が断線して映像信号、監視信号、および電源電圧の供給が不可能となった場合には、監視情報の提示を停止する。この様な構成とする事で、余分な消費電力を抑えることができる。
【００８６】
また、以上の実施形態において、監視対象が全て正常である場合にその旨を提示する提示部を設けてもよい。この様な構成とすることで、例えば、信号線３０の断線等により監視情報提示部４５への電源供給が途絶えた場合においても、監視対象が全て正常である場合にその旨を提示する提示部を確認することで、異常の有無を確認することができる。
【００８７】
また、以上の実施形態では、各監視対象が正常か否かについて１ビットの監視情報を取得して提示する構成を示したが、監視情報を数値データとして取得して提示するようにしてもよい。例えば、光伝送路１０から光／電変換部２１に入力される光入力レベル、光／電変換部２１から出力される映像信号レベル、光加入者端末ユニット２０の筐体内の温度等を数値として検出して提示する構成としてもよい。この様な構成とする事で、該数値の変化により異常の発生を予見したり、異常発生時の具体的な症状をより明確に把握したりすることができるため好ましい。
【符号の説明】
【００８８】
１０  光伝送路
２０  光加入者端末ユニット
２１  光／電変換部（変換手段）
２２  増幅部
２３  キャパシタ
２４  インダクタ
２５  電源部（受電手段）
２６  状態監視部（監視手段）
２７  監視情報送信部（送信手段）
２８，４６  アンテナ
３０，５０  信号線
４０  電源ユニット
４１  インダクタ
４２  キャパシタ
４３  ＡＣ／ＤＣ変換部（送電手段）
４４  監視情報受信部（受信手段）
４５  監視情報提示部（提示手段）
【図１】
2017034464.tif 000003
【図２】
2017034464.tif 000004
【図３】
2017034464.tif 000005
【図４】
2017034464.tif 000006
【図５】
2017034464.tif 000007